(57)【要約】【課題】情報入力機能を有した端末に提供される情報入力フォームを容易に設定できるようにする。【解決手段】設定項目の名称情報，設定項目の明細情報及び入力項目の名称情報の各情報の入力を促すようにする。そして、入力が促された各情報が入力されると、これらの情報に基づいて設定項目の名称とその明細情報とが対応付けられて表示されるとともに明細情報毎に入力項目の名称と対応付けられた情報入力エリアが表示された情報入力フォームを作成する。そして、この作成された情報入力フォームを端末に提供するようにする。【選択図】　図３
2004078420.tif 000002
【特許請求の範囲】
【請求項１】
情報入力機能を有した端末に提供される情報入力フォームを管理する情報入力フォーム管理装置において、
設定項目の名称情報，前記設定項目の明細情報及び入力項目の名称情報の各情報の入力を促す入力促進手段と、
この入力促進手段により入力が促された各情報が入力されると、これらの情報に基づいて前記設定項目の名称とその明細情報とが対応付けられるとともに前記明細情報毎に前記入力項目の名称と対応付けられた情報入力エリアが形成された情報入力フォームを作成する入力フォーム作成手段と、
この入力フォーム作成手段により作成された情報入力フォームを前記端末に提供する入力フォーム提供手段とを具備したことを特徴とする情報入力フォーム管理装置。
【請求項２】
情報入力機能を有した端末に提供される情報入力フォームを管理する情報入力フォーム管理装置において、
設定項目の名称情報，前記設定項目の明細情報及び入力項目の名称情報の各情報の入力を促す入力促進手段と、
この入力促進手段により入力が促された各情報が入力されると、これらの情報を１つの情報入力フォームに関するデータとして記憶するフォームデータ記憶手段と、
このフォームデータ記憶手段により記憶された情報入力フォームに関するデータに基づいて前記設定項目の名称とその明細情報とが対応付けられるとともに前記明細情報毎に前記入力項目の名称と対応付けられた情報入力エリアが形成された情報入力フォームを作成する入力フォーム作成手段と、
この入力フォーム作成手段により作成された情報入力フォームを前記端末に提供する入力フォーム提供手段とを具備したことを特徴とする情報入力フォーム管理装置。
【請求項３】
入力促進手段は、さらに入力項目数の入力を促す機能を有し、入力項目数が入力されるとその項目数分の入力項目名称情報の入力を促すことを特徴とする請求項１または２記載の情報入力フォーム管理装置。
【請求項４】
フォームデータ記憶手段により記憶された情報入力フォームに関するデータを呼出すデータ呼出手段と、
このデータ呼出手段により呼出されたデータを修正するデータ修正手段とをさらに具備したことを特徴とする請求項２または３記載の情報入力フォーム管理装置。
【請求項５】
フォームデータ記憶手段により記憶された情報入力フォームに関するデータを呼出すデータ呼出手段と、
このデータ呼出手段により呼出されたデータを削除するデータ削除手段とをさらに具備したことを特徴とする請求項２または３記載の情報入力フォーム管理装置。
【請求項６】
情報入力機能を有した端末に提供される情報入力フォームを管理するコンピュータに、
設定項目の名称情報，前記設定項目の明細情報及び入力項目の名称情報の各情報の入力を促す機能と、
入力が促された各情報が入力されると、これらの情報を１つの情報入力フォームに関するデータとして記憶する機能と、
記憶された情報入力フォームに関するデータに基づいて前記設定項目の名称とその明細情報とが対応付けられるとともに前記明細情報毎に前記入力項目の名称と対応付けられた情報入力エリアが形成された情報入力フォームを作成する機能と、
作成された情報入力フォームを前記端末に提供する機能とを実現させることを特徴とする情報入力フォーム管理プログラム。
【請求項７】
入力促す機能は、さらに入力項目数の入力を促す機能を有し、入力項目数が入力されるとその項目数分の入力項目名称情報の入力を促すことを前記コンピュータに実現させることを特徴とする請求項６記載の情報入力フォーム管理プログラム。
【請求項８】
前記コンピュータに、
記憶された情報入力フォームに関するデータを呼出す機能と、
呼出されたデータを修正する機能とをさらに実現させることを特徴とする請求項６または７記載の情報入力フォーム管理プログラム。
【請求項９】
前記コンピュータに、
記憶された情報入力フォームに関するデータを呼出す機能と、
呼出されたデータを削除する機能とをさらに実現させることを特徴とする請求項６または７記載の情報入力フォーム管理プログラム。
【発明の詳細な説明】
【０００１】
【発明の属する技術分野】
本発明は、情報入力機能を有した端末に提供される情報入力フォームを管理する情報入力フォーム管理装置、及び、コンピュータに情報入力フォーム管理機能を実現させるプログラムに関する。
【０００２】
【従来の技術】
例えば本部が複数のチェーン店舗を統轄する小売店（スーパーマーケット，コンビニエンスストア等）や飲食店（ファミリーレストラン，コーヒーショップ等）の多くでは、近年、イントラネット等のネットワークを利用した情報通信システムが導入されている。このシステムは、本部にサーバ機能を有するコンピュータシステム（以下、本部サーバシステムと称する）を設置し、各店舗にそれぞれクライアント機能を有するコンピュータ端末（以下、クライアント端末と称する）を設置して、本部サーバシステムと各クライアント端末との間を前記ネットワークで接続する。そして、前記本部サーバシステムが管理する情報を各クライアント端末が共有するようにしたものである。
【０００３】
このような情報通信システムを導入することによって、各クライアント端末で入力された情報を本部サーバシステムが収集し集計することができる。ただし、本部サーバシステムは同一のフォームに入力された情報でなければ集計することはできなかった。このため、本部サーバシステムには、各クライアント端末に所定の情報入力フォームを提供する機能が設けられていた。
【０００４】
【発明が解決しようとする課題】
しかしながら従来、本部サーバシステムから各クライアント端末に提供される情報入力フォームはプログラムにより設定されていた。このため、フォームの変更を余儀なくされた場合には、プログラムを修正して対処しなければならないため容易には対応できず、フォームの変更を効率よくかつ柔軟に対処することができなかった。
【０００５】
本発明はこのような事情に基づいてなされたもので、その目的とするところは、情報入力機能を有した端末に提供される情報入力フォームを容易に設定でき、フォームの変更を効率よくかつ柔軟に対処できるようにすることにある。
【０００６】
【課題を解決するための手段】
本発明は、このような課題を解決しその目的を達成するために、設定項目の名称情報，設定項目の明細情報及び入力項目の名称情報の各情報の入力を促すようにする。そして、入力が促された各情報が入力されると、これらの情報に基づいて設定項目の名称とその明細情報とが対応付けられるとともに明細情報毎に入力項目の名称と対応付けられた情報入力エリアが形成された情報入力フォームを作成する。そして、この情報入力フォームを端末に提供するようにしたものである。
【０００７】
このような手段を講じたことにより、少なくとも設定項目の名称情報，設定項目の明細情報及び入力項目の名称情報の各情報を入力することによって、その設定項目の名称と明細情報とが対応付けられるとともに、明細情報毎に入力項目の名称と対応付けられた情報入力エリアが形成された情報入力フォームが端末に提供され、例えば端末の表示部に表示される。
【０００８】
【発明の実施の形態】
以下、本発明の一実施の形態を図面を用いて説明する。
なお、この実施の形態は、本部が複数のチェーン店舗を統轄する小売店，飲食店等に構築された情報通信システムの本部サーバシステムに本発明の情報入力フォーム管理機能を適用した場合である。
【０００９】
図１は本実施の形態の情報通信システムを示しており、本部に設けられた本部サーバシステム１と、各店舗にそれぞれ設けられたクライアント端末２とが、イントラネット等のネットワーク３で接続されている。各クライアント端末２は、例えばパソコンによって構成されている。
【００１０】
本部サーバシステム１は、ネットワーク３を介して行なわれるデータの送受信に特化した通信サーバ１１と、各クライアント端末２が共有する情報を管理する情報管理サーバ１２と、情報管理サーバ１２に対して情報を入力したり、当該サーバ１２にて管理される情報を出力したりするためのパソコン１３とによって構成されている。通信サーバ１１と情報管理サーバ１２とパソコン１３とは、ＬＡＮ（Ｌｏｃａｌ　Ａｒｅａ　Ｎｅｔｗｏｒｋ）１４によって接続されている。
【００１１】
例えばＣＤ−ＲＯＭ，ＤＶＤ，磁気ディスク，半導体メモリ等の記憶媒体に記憶されたプログラムを読込み、このプログラムによって動作が制御されるコンピュータによって構成された情報管理サーバ１２は、特に、情報入力フォーム管理プログラムに従い、情報入力フォームの作成，修正及び削除を制御する第１の機能と、情報入力フォームに従い各クライアント端末２にて入力されたデータを集計する第２の機能とを実現する。
【００１２】
なお、これらの機能をサポートするために、情報管理サーバ１２には、各クライアント端末２に提供される各種情報入力フォームのデータが記憶されるフォームデータベース１５と、各クライアント端末２にて入力されたデータを店舗別や項目別等に分類して集計するための各種集計ファイルのデータが記憶される集計ファイルデータベース１６とが接続されている。
【００１３】
前記情報入力フォームのデータは、図２に示すように、フォームナンバー，フォーム名称，入力希望日，設定項目名称，入力項目数，入力項目数分の入力項目名称及び設定項目明細情報によって構成されている。フォームナンバーは、当該情報入力フォームに割り当てられたユニークな番号であり、フォーム名称は、当該情報入力フォームを特定する名称である。この実施の形態では、情報入力フォーム作成時に自動的にユニークな番号がフォームナンバーとして設定される。入力希望日は、当該情報入力フォームを用いて各店舗から情報入力を行なわせたい日付のデータである。設定項目名称は、当該情報入力フォームを用いて各店舗から収集したい情報の設定項目を特定する名称であり、この実施の形態では３項目の名称データを設定可能である。入力項目数は、同じく各店舗から収集したい情報の入力項目数ｎであり、入力項目名称は、その入力項目数ｎの入力項目を特定する名称データである。この実施の形態では、入力項目数ｎを１〜１０の範囲内で設定可能である。設定項目明細情報は、同じく各店舗から収集したい情報の各設定項目に対応した内容であり、この実施の形態ではＮ（例えばＮ≦４０）個の明細情報を設定可能である。
【００１４】
前記情報管理サーバ１２が有する第１の機能について、具体的に説明する。　本部の管理者がパソコン１３を操作して、情報管理サーバ１２に管理者用ＩＤでログインすると、パソコン１３のディスプレイに管理者用のトップメニュー画面（不図示）が表示される。このトップメニュー画面から本部管理者がメニュー項目「フォーム処理」を選択すると、情報管理サーバ１２は、図３の流れ図にその要部が示されたフォーム処理を実行する。
【００１５】
先ず、情報管理サーバ１２は、ＳＴ（ステップ）１としてパソコン１３にフォームメニュー画面データをダウンロードして、パソコン１３のディスプレイにフォームメニュー画面２１（図８参照）を表示させる。図示するように、フォームメニュー画面２１には、メニュー項目として「フォーム作成」と「フォーム修正」と「フォーム削除」とが表示されている。そこで本部管理者は、新規の情報入力フォームを作成する場合には、メニュー項目「フォーム作成」を選択し、既存の情報入力フォームを修正する場合には、メニュー項目「フォーム修正」を選択し、既存の情報入力フォームを削除する場合には、メニュー項目「フォーム削除」を選択する。なお、トップメニュー画面の戻るときには、「戻る」ボタンを選択する。
【００１６】
情報管理サーバ１２は、ＳＴ２としてフォームメニュー画面２１のどのメニュー項目が選択されたのかを判断する。ここで、メニュー項目「フォーム作成」が選択されたことを確認した場合には、ＳＴ３〜ＳＴ１１に具体的に示すフォーム登録処理を実行する。
【００１７】
すなわち情報管理サーバ１２は、ＳＴ３としてパソコン１３に新規フォーム登録画面データをダウンロードして、パソコン１３のディスプレイに新規フォーム登録画面２２（図９参照）を表示させる。図示するように、新規フォーム登録画面２２には、フォームナンバーの表示欄と、フォーム名称の入力欄と、入力項目数の入力欄とが表示されており、パソコン１３のオペレータに対してフォーム名称及び入力項目数の入力を促す。フォームナンバー表示欄には、フォームデータベース１５に登録されている情報入力フォームでは未使用のフォームナンバーで最小のものが情報管理サーバ１２によって検出されて表示されている。そこで、パソコン１３のオペレータである本部管理者は、新規に作成する情報入力フォームのフォーム名称と入力項目数とをそれぞれ該当する入力欄に入力し、「登録」ボタンを入力する。
【００１８】
情報管理サーバ１２は、ＳＴ４として新規フォーム登録画面２２のフォーム名称入力欄及び入力項目数入力欄にフォーム名称と入力項目数とが入力された状態で、ＳＴ５として「登録」ボタンが入力されたことを確認すると、ＳＴ６としてパソコン１３に新規フォーム作成画面データをダウンロードして、パソコン１３のディスプレイに新規フォーム作成画面２３（図１０参照）を表示させる。図示するように、新規フォーム作成画面２３には、フォーム名の表示欄、入力希望日の入力欄、入力項目数の表示欄、入力項目数に一致した入力項目名称の入力欄、３種類の設定項目名称の入力欄、各設定項目名称にそれぞれ対応した設定項目明細情報の入力欄が表示されており、パソコン１３のオペレータに対して入力希望日，入力項目数に一致した入力項目名称，３種類の設定項目名称及び各設定項目名称にそれぞれ対応した設定項目明細情報の入力を促す。フォーム名表示欄及び入力項目数表示欄には、新規フォーム登録画面２２から入力したフォーム名と入力項目数とが表示されている。また、設定項目明細情報の入力欄は、画面を下方へスクロールすることによって設定項目名称毎に最大でＮ個の明細情報を入力できるようになっている。そこで、パソコン１３のオペレータである本部管理者は、新規に作成する情報入力フォームの入力希望日，入力項目名称，設定項目名称及び設定項目明細情報を入力し、「登録」ボタンを入力する。
【００１９】
情報管理サーバ１２は、ＳＴ７として新規フォーム作成画面２３の入力希望日入力欄，入力項目名称入力欄，設定項目名称入力欄及び設定項目明細情報入力欄に入力希望日，入力項目名称，設定項目名称及び設定項目明細情報が入力された状態で、ＳＴ８として「登録」ボタンが入力されたことを確認すると、ＳＴ９として、図１１に示すように、新規フォーム作成画面２３に新規フォーム確認画面２４を重ねて表示させる。新規フォーム確認画面２４には、「ＯＫ」ボタンと「キャンセル」ボタンとが表示されている。そこで本部管理者は、新規フォーム作成画面２３の内容を確認し、新規の情報入力フォームを登録する場合には新規フォーム確認画面２４の「ＯＫ」ボタンを、登録を中止する場合には「キャンセル」ボタンを入力する。
【００２０】
情報管理サーバ１２は、ＳＴ１０として新規フォーム確認画面２４の「ＯＫ」ボタンが入力されたことを確認した場合には、ＳＴ１１として新規フォーム作成画面２３のデータに基づき情報入力フォームデータを作成して、フォームデータベース１５に登録する。「キャンセル」ボタンが入力されたことを確認した場合には、情報管理サーバ１２は、情報入力フォームデータの登録を行なわない。
【００２１】
ここに、情報管理サーバ１２は、フォーム登録処理のＳＴ３及びＳＴ６の処理により、設定項目の名称情報，前記設定項目の明細情報及び入力項目の名称情報の各情報の入力を促す入力促進手段を構成し、ＳＴ１１の処理により、入力促進手段により入力が促された各情報が入力されると、これらの情報を１つの情報入力フォームに関するデータとして記憶するフォームデータ記憶手段を構成する。なお、入力促進手段は、例えば音声ガイダンスによりパソコン１３のオペレータに対して設定項目の名称情報，設定項目の明細情報及び入力項目の名称情報の各情報の入力を促すようにしてもよい。
【００２２】
因みに、図９〜図１１は、フォームナンバーを「００１」、フォーム名称を「売上報告パターン」、入力希望日を「２００２／０７／２０」、入力項目数を「２」、入力項目名称を「当週売数」と「当週売上高」、設定項目名称を「商品コード」，「商品名称」及び「商品分類」とした情報入力フォームを作成した場合の画面例であり、この場合には、図７（ａ）に示す内容の情報入力フォームデータがフォームデータベース１５に登録される。
【００２３】
情報管理サーバ１２は、図３のＳＴ２としてメニュー項目「フォーム修正」が選択されたことを確認した場合には、図４に具体的に示すフォーム修正処理を実行する。
【００２４】
すなわち情報管理サーバ１２は、ＳＴ２１としてフォームデータベース１５に登録されている全情報入力フォームのフォームナンバーとフォーム名称と入力希望日の各データを読み出し、フォーム一覧画面データを作成する。そして、このフォーム一覧画面データをパソコン１３にダウンロードして、パソコン１３のディスプレイにフォーム一覧画面２５（図１２参照）を表示させる。図示するように、フォーム一覧画面２５には、フォームナンバー別にフォーム名称と入力希望日が表示される。また、各フォームナンバーに対応してチェック欄が設けられている。そこで本部管理者は、修正を行なう情報入力フォームのフォームナンバーに対応したチェック欄をクリックして選択する。
【００２５】
情報管理サーバ１２は、ＳＴ２２としてフォーム一覧画面の中からいずれかの情報入力フォームが選択されたことを確認すると、ＳＴ２３としてその選択された情報入力フォームのデータをフォームデータベース１５から呼出す。そして、ＳＴ２４としてその呼出した情報入力フォームデータに基づいてフォーム修正画面データを作成し、このフォーム修正画面データをパソコン１３にダウンロードして、パソコン１３のディスプレイにフォーム修正画面２６（図１３参照）を表示させる。図示するように、フォーム修正画面２６には、選択された情報入力フォームのフォーム名，入力希望日，入力項目数，入力項目数に相当する入力項目名称，各設定項目名称及び各設定項目明細情報が表示される。そこで本部管理者は、入力希望日を修正する場合には、入力希望日欄を選択して入力希望日を書換える。入力項目数を修正する場合には、入力項目数欄を選択して入力項目数を書換える。入力項目数が書き換わると、それに応じて、フォーム修正画面２６の入力項目名称欄の数が増減する。図１４は、入力項目数を「２」から「４」に修正したときのフォーム修正画面２６であり、入力項目名称欄が２つ追加されている。入力項目名称又は設定項目名称を修正する場合には、該当する名称欄を選択して名称を書換える。または名称を追加あるいは削除する。設定項目明細情報を修正する場合には、該当する設定項目明細欄を選択して明細情報を書換える。または明細情報を追加あるいは削除する。こうして、情報入力フォームの修正を完了したならば、本部管理者は「修正」ボタンを入力する。
【００２６】
情報管理サーバ１２は、ＳＴ２５としてフォーム修正画面２６の「修正」ボタンが入力されたことを確認すると、ＳＴ２６として、図１５に示すように、フォーム修正画面２６に修正フォーム確認画面２７を重ねて表示させる。修正フォーム確認画面２７には、「ＯＫ」ボタンと「キャンセル」ボタンとが表示されている。そこで本部管理者は、フォーム修正画面２６の内容を確認し、修正後の情報入力フォームを登録する場合には修正フォーム確認画面２７の「ＯＫ」ボタンを、登録を中止する場合には「キャンセル」ボタンを入力する。
【００２７】
情報管理サーバ１２は、ＳＴ２７として修正フォーム確認画面２７の「ＯＫ」ボタンが入力されたことを確認した場合には、ＳＴ２８としてフォーム修正画面２７のデータに基づき情報入力フォームデータを作成する。そして、この情報入力フォームデータを、フォームデータベース１５に登録されている同一フォームナンバーの情報入力フォームデータに上書きして、情報入力フォームデータを更新する。「キャンセル」ボタンが入力されたことを確認した場合には、情報管理サーバ１２は、情報入力フォームデータの更新を行なわない。
【００２８】
ここに、情報管理サーバ１２は、フォーム修正処理のＳＴ２３の処理により、フォームデータ登録手段により登録された情報入力フォームに関するデータを呼出すデータ呼出手段を構成し、ＳＴ２８の処理により、データ呼出手段により呼出されたデータを修正するデータ修正手段を構成する。
【００２９】
因みに、図１２〜図１５は、フォームナンバー「００１」の情報入力フォームデータの入力項目を項目名「目標売数」と「目標売上高」の２つ追加するように修正した場合の画面例であり、この場合には、図７（ａ）に示す内容でフォームデータベース１５に登録されていた情報入力フォームデータが、同図（ｂ）に示す内容に更新される。
【００３０】
情報管理サーバ１２は、図３のＳＴ２としてメニュー項目「フォーム削除」が選択されたことを確認した場合には、図５に具体的に示すフォーム修正処理を実行する。
【００３１】
すなわち情報管理サーバ１２は、ＳＴ３１として前記フォーム一覧画面データを作成し、このフォーム一覧画面データをパソコン１３にダウンロードして、パソコン１３のディスプレイにフォーム一覧画面２５（図１２参照）を表示させる。そこで本部管理者は、削除する情報入力フォームのフォームナンバーに対応したチェック欄をクリックして選択する。
【００３２】
情報管理サーバ１２は、ＳＴ３２としてフォーム一覧画面の中からいずれかの情報入力フォームが選択されたことを確認すると、ＳＴ３３としてその選択された情報入力フォームのデータをフォームデータベース１５から呼出す。そして、ＳＴ３４としてその呼出した情報入力フォームデータに基づいてフォーム削除画面データを作成し、このフォーム削除画面データをパソコン１３にダウンロードして、パソコン１３のディスプレイにフォーム削除画面２８（図１６参照）を表示させる。また、図１６に示すように、ＳＴ３５としてフォーム削除画面２８に削除フォーム確認画面２９を重ねて表示させる。削除フォーム確認画面２９には、「ＯＫ」ボタンと「キャンセル」ボタンとが表示されている。そこで本部管理者は、フォーム削除画面２８の内容を確認し、当該情報入力フォームを削除する場合には削除フォーム確認画面２９の「ＯＫ」ボタンを、削除を中止する場合には「キャンセル」ボタンを入力する。
【００３３】
情報管理サーバ１２は、ＳＴ３６として削除フォーム確認画面２９の「ＯＫ」ボタンが入力されたことを確認した場合には、ＳＴ３７として該当する情報入力フォームデータをフォームデータベース１５から削除する。「キャンセル」ボタンが入力されたことを確認した場合には、情報管理サーバ１２は、情報入力フォームデータの削除を行なわない。
【００３４】
ここに、情報管理サーバ１２は、フォーム削除処理のＳＴ３３の処理により、フォームデータ登録手段により登録された情報入力フォームに関するデータを呼出すデータ呼出手段を構成し、ＳＴ３７の処理により、データ呼出手段により呼出されたデータを削除するデータ削除手段を構成する。
【００３５】
次に、前記情報管理サーバ１２が有する第２の機能について、具体的に説明する。
【００３６】
各店舗の店長等の責任者がクライアント端末２を操作して、情報管理サーバ１２に店舗用ＩＤでログインすると、パソコン１３のディスプレイに店舗用のトップメニュー画面（不図示）が表示される。このトップメニュー画面から店舗責任者がメニュー項目「情報入力」を選択すると、情報管理サーバ１２は、図６の流れ図にその要部が示された情報収集処理を実行する。
【００３７】
すなわち、ログインしたクライアント端末２からメニュー項目「情報入力」の選択が指令されると、情報管理サーバ１２は、ＳＴ４１としてフォームデータベース１５を検索して、当日が入力希望日の情報入力フォームデータを全て抽出する。次に、情報管理サーバ１２は、ＳＴ４２として集計ファイルデータベース１６を検索して、この当日が入力希望日の情報入力フォームデータの中で、ログインしたクライアント端末２が設置されている店舗ではまだ情報入力が行なわれていない情報入力フォームのデータを抽出する。ここで、ＳＴ４３として情報入力が行なわれていない情報入力フォームのデータが存在しない場合には、情報管理サーバ１２は、この情報収集処理を終了する。
【００３８】
情報入力が行なわれていない情報入力フォームのデータが存在する場合には、情報管理サーバ１２は、ＳＴ４４としてその情報入力が行なわれていない情報入力フォームの名称リスト画面データを作成する。そして、この画面データをログインしたクライアント端末２に通信サーバ１１を経由してダウンロードする。これにより、クライアント端末２のディスプレイには当該店舗において情報入力を行なうべき情報入力フォームの名称リストが表示されるので、店舗責任者は、今から情報入力を行なうフォームを選択する。
【００３９】
情報管理サーバ１２は、ＳＴ４５としてログインしたクライアント端末２から情報入力フォームの選択が指令されると、ＳＴ４６としてその選択された情報入力フォームのデータをフォームデータベース１５から呼出す。そして、このデータに基づいて情報入力フォームを作成する（入力フォーム作成手段）。しかる後、ＳＴ４７として通信サーバ１１を経由してログインしたクライアント端末２に当該情報入力フォームをダウンロードする（入力フォーム提供手段）。
【００４０】
これにより、クライアント端末２においては、そのディスプレイに当該情報入力フォームの画面が表示される。図７（ａ）に示した情報入力フォームデータに基づく情報入力フォームの画面を図１７に示し、図７（ａ）に示した情報入力フォームデータに基づく情報入力フォームの画面を図１８に示す。図示するように、情報入力フォームの画面には、設定項目の名称とその明細情報とが対応付けられて表示されるとともに、明細情報毎に、入力項目の名称と対応付けられた情報入力エリアが表示されている。また、「送信」ボタンと「中止」ボタンとが表示されている。そこで、店舗責任者は各情報入力エリアに必要な情報を入力し、「送信」ボタンを入力する。そうすると、この情報入力フォームの画面データが情報管理サーバ１２にアップロードされる。なお、情報入力を中止する場合には、「中止」ボタンを入力すればよい。
【００４１】
情報入力フォームをダウンロードした情報管理サーバ１２は、ＳＴ４８として情報入力フォームの画面データがアップロードされてくるのを待機している。そしてアップロードされると、情報管理サーバ１２は、ＳＴ４９としてその画面データを解析して当該店舗からの入力情報を取得し、集計ファイルデータベース１６の各集計ファイルに集計するものとなっている。
【００４２】
このように本実施の形態によれば、本部サーバシステム１のパソコン１３を利用して所定の手順で必要事項を入力することにより、情報管理サーバ１２から各店舗のクライアント端末２に提供される情報入力フォームを作成することができる。また、同様にして、既存の情報入力フォームを修正したり削除したりすることも可能である。したがって、情報入力フォームの変更を余儀なくされた場合でもプログラムの修正を必要としないので、容易にかつ低コストで対応することができる。換言すれば、本部で情報入力フォームを自由に設定し、また変更できるので、各店舗からの情報収集を効率よくかつ柔軟に実現できる効果を奏する。
【００４３】
なお、本発明は、本部が各店舗から情報収集を行なう際の情報入力フォームの管理機能に限定されるものではなく、一方の機器が、ネットワークで接続された他方の機器から情報収集を行なう際の情報入力フォームの管理機能全般に適用できるものである。
【００４４】
また、入力促進手段は、さらに設定項目数の入力を促す機能を有し、設定項目数が入力されるとその項目数分の設定項目名称情報の入力を促すようにしてもよいものである。
【００４５】
また、前記実施の形態では、情報管理サーバ１２が情報入力フォームの提供と、その情報入力フォームに入力された情報の収集及び集計を行なったが、情報入力フォームの提供を行なう装置（第１のサーバ）と、情報の収集及び集計を行なう装置（第２のサーバ）とが別体であってもよい。
【００４６】
また、情報管理サーバは、情報入力フォーム管理プログラムを記憶媒体から読込んだが、通信媒体により伝送された情報入力フォーム管理プログラムに従い、前記第１の機能と第２の機能を実現してもよい。
【００４７】
【発明の効果】
以上詳述したように、本発明によれば、情報入力機能を有した端末に提供される情報入力フォームを容易に設定でき、フォームの変更を効率よくかつ柔軟に対処できる効果を奏する。
【図面の簡単な説明】
【図１】本発明の一実施の形態である情報通信システムの全体構成図。
【図２】同実施の形態においてフォームデータベースに登録される情報入力フォームデータの構成を示す図。
【図３】同実施の形態において情報管理サーバが実行するフォーム処理の要部を示す流れ図。
【図４】同情報管理サーバが実行するフォーム処理のフォーム修正処理を具体的に示す流れ図。
【図５】同情報管理サーバが実行するフォーム処理のフォーム削除処理を具体的に示す流れ図。
【図６】同実施の形態において情報管理サーバが実行する情報収集処理の要部を示す流れ図。
【図７】情報入力フォームデータの構成例を示す図。
【図８】フォームメニュー画面の一例を示す図。
【図９】新規フォーム登録画面の一例を示す図。
【図１０】新規フォーム作成画面の一例を示す図。
【図１１】新規フォーム作成画面に新規フォーム確認画面を重ねて表示させた状態の一例を示す図。
【図１２】フォーム一覧画面の一例を示す図。
【図１３】フォーム修正画面の一例を示す図。
【図１４】フォーム修正画面の他の例を示す図。
【図１５】フォーム修正画面に修正フォーム確認画面を重ねて表示させた状態の一例を示す図。
【図１６】フォーム削除画面に削除フォーム確認画面を重ねて表示させた状態の一例を示す図。
【図１７】情報入力フォーム画面の一例を示す図。
【図１８】情報入力フォーム画面の他の例を示す図。
【符号の説明】
１…本部サーバシステム
２…クライアント端末
３…ネットワーク
１２…情報管理サーバ
１３…パソコン
１５…フォームデータベース
１６…集計ファイルデータベース
【図１】
2004078420.tif 000003
【図２】
2004078420.tif 000004
【図３】
2004078420.tif 000005
【図４】
2004078420.tif 000006
【図５】
2004078420.tif 000007
【図６】
2004078420.tif 000008
【図７】
2004078420.tif 000009
【図８】
2004078420.tif 000010
【図９】
2004078420.tif 000011
【図１０】
2004078420.tif 000012
【図１１】
2004078420.tif 000013
【図１２】
2004078420.tif 000014
【図１３】
2004078420.tif 000015
【図１４】
2004078420.tif 000016
【図１５】
2004078420.tif 000017
【図１６】
2004078420.tif 000018
【図１７】
2004078420.tif 000019
【図１８】
2004078420.tif 000020